(57)【要約】ティーインググラウンドやグリーン上のプレーヤの近くでも耳障りとなることなく手袋を装着し、あるいその止着片を締込み直すことができるゴルフ用手袋を提供することを目的とする。  ガイド部材１２に対してダイヤル部材１３を右回りの矢印方向に回動させると、ダイヤル部材１３の係合溝１３Ｄがプレート部材の係合突起のヘッド部１１Ｄをガイド部材１２のガイド長孔１２Ａに沿って左向きの矢印方向に引き寄せることで、止着片１Ｃ側のガイド部材１２が相対的に止着片１Ｃの締込み方向に移動してゴルフ用手袋が手に装着される。また、ダイヤル部材１３を右回りの矢印方向にさらに回動させると、装着されたゴルフ用手袋が手にピッタリとフィットするように止着片１Ｃが締込み直される。その際、従来のような面ファスナ特有の耳障りで不快なビリビリ音が発生しない。
2010128689.tif 000002
【特許請求の範囲】
【請求項１】
手甲部に重ねて着脱自在に止着される締込み用の止着片を有するゴルフ用手袋であって、
前記手甲部と前記止着片との間には、止着片を締込み方向に位置調整可能に止着する止着装置が設けられていることを特徴とするゴルフ用手袋。
【請求項２】
前記止着装置は、前記手甲部側に配設されるプレート部材と、前記止着片側に配設されるガイド部材およびダイヤル部材とを備え、
前記プレート部材は、前記ガイド部材に形成されたガイド長孔を貫通して前記ダイヤル部材に形成された係合溝または係合アームに係合可能な係合突起を有し、
前記ダイヤル部材は、前記ガイド部材に対して回動可能、かつ、回動方向に位置決め可能に構成されており、
ダイヤル部材の回動によりその係合溝または係合アームが前記プレート部材の係合突起を前記ガイド部材のガイド長孔に沿って引き寄せることで止着片が手甲部に止着されると共に止着片が締込み方向に移動可能に構成されていることを特徴とする請求項１に記載のゴルフ用手袋。
【請求項３】
前記ガイド部材には、前記係合突起が貫通する開口が前記ガイド長孔に代えて形成されていることを特徴とする請求項２に記載のゴルフ用手袋。
【請求項４】
前記止着装置は、前記手甲部側に配設されるベース部材と、前記止着片側に配設されるカバー部材とを備え、
前記カバー部材は、前記ベース部材に対して着脱自在に、かつ、ラチェット機構を介して止着片の締込み方向に位置調整可能に構成されており、
前記ベース部材およびカバー部材の少なくとも一方が弾性素材で構成されていることを特徴とする請求項１に記載のゴルフ用手袋。
【請求項５】
前記止着装置は、前記手甲部側に配設されるベース部材と、前記止着片側に配設されるスライド部材とを備え、
前記スライド部材は、前記ベース部材に対し、マグネットを介して止着片の締込み方向に位置調整可能に吸着されることを特徴とする請求項１に記載のゴルフ用手袋。
【請求項６】
前記止着装置は、前記手甲部側に配設されるベース部材と、前記止着片側に配設されるカバー部材とを備え、
前記ベース部材または前記カバー部材のいずれか一方の表面における少なくとも一部が自己粘着性および再剥離性のある合成樹脂からなることを特徴とする請求項１に記載のゴルフ用手袋。
【発明の詳細な説明】
【技術分野】
【０００１】
本発明は、ゴルフ用手袋に関し、詳しくは、手甲部に重ねて着脱自在に止着される締込み用の止着片を有するゴルフ用手袋に関するものである。
【背景技術】
【０００２】
従来、ゴルフ用手袋として、手甲部に重ねて着脱自在に止着される締込み用の止着片を有するものが一般に知られている。この種のゴルフ用手袋において、締込み用の止着片は、通常、面ファスナを介して手甲部に着脱自在に止着されるようになっている（例えば特開２００７−０２９３１８号公報参照）。
【発明の概要】
【発明が解決しようとする課題】
【０００３】
ところで、特開２００７−０２９３１８号公報に記載されたようなゴルフ用手袋においては、締込み用の止着片が面ファスナを介して手甲部に着脱自在に止着されるようになっており、止着片を手甲部から引き剥がす際には、ビリビリというような面ファスナ特有の耳障りで不快なビリビリ音が発生する。
ここで、ゴルフコースにおいてプレー中の多くのゴルファーは、ティーインググラウンドで自分の打順を待つ間にゴルフ用手袋を装着し、フェアウェイの移動中やグリーン上でのパッティングの前にはゴルフ用手袋を外す傾向にある。また、ゴルファーの心理として、ティーインググラウンドで自分の打順が近づくと、既に装着したゴルフ用手袋が手にピッタリとフィットするように、止着片を一旦手甲部から引き剥がして締込み直したくなる。
ところで、従来のゴルフ用手袋を装着する際には、面ファスナにより手甲部に止着された状態の止着片を一旦手甲部から引き剥がす必要があり、その際、ビリビリというような面ファスナ特有の耳障りで不快なビリビリ音が発生する。また、一旦装着したゴルフ用手袋の止着片を締込み直す際にも同様に耳障りで不快なビリビリ音が発生する。
従って、ティーインググラウンドやグリーン上のプレーヤの近くでゴルフ用手袋を装着し、あるいはその止着片を締込み直すと、面ファスナ特有の耳障りで不快なビリビリ音がプレーヤの耳に届き、その結果、プレーヤの集中力が低下してプレーの妨げとなる虞がある。このような事態は、マナーを重視するゴルファーとしては、極力避けねばならない。
本発明は、このような事情に対応してなされたものであり、ティーインググラウンドやグリーン上のプレーヤの近くでも耳障りとなることなくゴルフ用手袋を装着し、あるいその止着片を締込み直すことができるゴルフ用手袋を提供することを課題とする。
【課題を解決するための手段】
【０００４】
このような課題を解決するため、本発明に係るゴルフ用手袋は、手甲部に重ねて着脱自在に止着される締込み用の止着片を有するゴルフ用手袋であって、手甲部と止着片との間には、止着片を締込み方向に位置調整可能に止着する止着装置が設けられていることを特徴とする。
本発明に係るゴルフ用手袋では、止着装置により止着片を手甲部に止着することでゴルフ用手袋が手に装着される。また、止着装置により止着片を締込み方向に位置調整することで、装着されたゴルフ用手袋が手にピッタリとフィットするように止着片が締込み直される。その際、従来のような面ファスナ特有の耳障りで不快なビリビリ音が発生しない。
本発明に係るゴルフ用手袋において、止着装置は、手甲部側に配設されるプレート部材と、止着片側に配設されるガイド部材およびダイヤル部材とを備え、プレート部材は、ガイド部材に形成されたガイド長孔を貫通してダイヤル部材に形成された係合溝または係合アームに係合可能な係合突起を有し、ダイヤル部材は、ガイド部材に対して回動可能、かつ、回動方向に位置決め可能に構成されたものとし、ダイヤル部材の回動によりその係合溝または係合アームがプレート部材の係合突起をガイド部材のガイド長孔に沿って引き寄せることで止着片を手甲部に止着すると共に止着片を締込み方向に移動可能に構成することができる。
この場合、ダイヤル部材をガイド部材に対して所定方向に回動させると、ダイヤル部材の係合溝または係合アームがプレート部材の係合突起をガイド部材のガイド長孔に沿って引き寄せることで、ダイヤル部材が止着片の締込み方向に移動してゴルフ用手袋が手に装着される。また、ダイヤル部材を所定方向にさらに回動させると、装着されたゴルフ用手袋が手にピッタリとフィットするように止着片が締込み直される。
ここで、ガイド部材を備えた本発明のゴルフ用手袋において、ガイド部材には、プレート部材の係合突起が貫通する開口をガイド長孔に代えて形成することができる。この場合、ダイヤル部材をガイド部材に対して所定方向に回動させると、ダイヤル部材の係合溝または係合アームがプレート部材の係合突起を引き寄せることで、ダイヤル部材が止着片の締込み方向に移動してゴルフ用手袋が手に装着される。また、ダイヤル部材を所定方向にさらに回動させると、装着されたゴルフ用手袋が手にピッタリとフィットするように止着片が締込み直される。
また、本発明のゴルフ用手袋において、止着装置は、手甲部側に配設されるベース部材と、止着片側に配設されるカバー部材とを備え、カバー部材がベース部材に対して着脱自在に、かつ、ラチェット機構を介して止着片の締込み方向に位置調整可能に構成され、ベース部材およびカバー部材の少なくとも一方が弾性素材で構成されたものとすることができる。
この場合、カバー部材をベース部材に対しラチェット機構を介して係着させることで、ゴルフ用手袋が手に装着される。また、ラチェット機構を介してカバー部材を止着片の締込み方向に位置調整することで、装着されたゴルフ用手袋が手にピッタリとフィットするように止着片が締込み直される。
さらに、本発明のゴルフ用手袋において、止着装置は、手甲部側に配設されるベース部材と、止着片側に配設されるスライド部材とを備えたものとし、スライド部材がベース部材に対しマグネットを介して止着片の締込み方向に位置調整可能に吸着されるように構成することができる。
この場合、スライド部材をベース部材に対しマグネットを介して吸着させることで、ゴルフ用手袋が手に装着される。また、スライド部材をベース部材に対し止着片の締込み方向に位置調整してマグネットにより吸着させることで、装着されたゴルフ用手袋が手にピッタリとフィットするように止着片が締込み直される。
さらにまた、本発明のゴルフ用手袋において、止着装置は、手甲部側に配設されるベース部材と止着片側に配置されるカバー部材とを備えたものとし、このベース部材またはカバー部材のいずれか一方における少なくとも一部を自己粘着性で、かつ再剥離性のある合成樹脂からなる素材により形成することもできる。
この場合、カバー部材をベース部材の上に重ねてカバー部材側の面を押圧することで、その一方が自己粘着性かつ再剥離性のある素材によって形成されているカバー部材とベース部材とが脱着自在に容易に固定され、ゴルフ用手袋が手に装着される。その際、ベース部材上の特定の位置に一旦固定されたカバー部材をベース部材から剥離して、ベース部材に対して止着片の締め込み方向に位置調整し直してカバー部材側の面を再び押圧し直すことで、装着されたゴルフ用手袋が手にピッタリとフィットするように止着片が締込み直される。
【発明の効果】
【０００５】
本発明に係るゴルフ用手袋によれば、止着装置により止着片を手甲部に止着することでゴルフ用手袋を手に装着することができる。また、止着装置により止着片を締込み方向に位置調整することで、装着されたゴルフ用手袋が手にピッタリとフィットするように止着片を締込み直すことができる。その際、従来のような面ファスナ特有の耳障りで不快なビリビリ音が発生しないため、ティーインググラウンドやグリーン上のプレーヤの近くでも耳障りとなることなくゴルフ用手袋を装着し、あるいその止着片を締込み直すことができる。
【図面の簡単な説明】
【０００６】
【図１】本発明の第１実施形態に係るゴルフ用手袋の外観を示す手甲部側から見た斜視図である。
【図２】図１に示した止着片を折り返した状態を示す図１に対応したゴルフ用手袋の斜視図である。
【図３】図２のＩＩＩ矢視図である。
【図４】第１実施形態に係るゴルフ用手袋の止着装置を構成するガイド部材およびダイヤル部材の縦断面図である。
【図５】図４に示したガイド部材およびダイヤル部材を拡大して示す半断面図である。
【図６】図１に示した止着片側に配設されるガイド部材を拡大して示す正面図である。
【図７】図４に示したダイヤル部材の内面を示す平面図であり、（ａ）は直線状の係合溝を示し、（ｂ）は円弧状の係合溝を示す。
【図８】図１に示した止着装置の作用を示す止着片の正面図である。
【図９】図７に示したダイヤル部材の係合溝を係合アームに変更した変形例を示すダイヤル部材の内面の平面図であり、（ａ）は湾曲状の係合アームを示し、（ｂ）は直線状の係合アームを示す。
【図１０】図９の（ａ）に示したダイヤル部材を備える止着装置の作用を示す図８に対応した正面図である。
【図１１】第２実施形態に係るゴルフ用手袋の止着装置を構成するベース部材およびカバー部材の斜視図である。
【図１２】図１１に示したベース部材の係止孔およびカバー部材の係合突起を拡大して示す部分断面図である。
【図１３】図１１に示したベース部材の溝部およびカバー部材の帯状突部を示す断面図である。
【図１４】第３実施形態に係るゴルフ用手袋の止着装置を構成するベース部材およびスライド部材の斜視図である。
【図１５】第４実施形態に係るゴルフ用手袋の止着装置を構成するベース部材およびカバー部材の斜視図である。
【図１６】第５実施形態に係るゴルフ用手袋の止着装置を構成するベース部材およびカバー部材の斜視図である。
【図１７】図１６に示したベース部材の溝部およびカバー部材の帯状突部の嵌合状態を説明する断面図であり、（ａ）は基端側の断面図、（ｂ）は先端側の断面図である。
【図１８】第６実施形態に係るゴルフ用手袋の止着装置を構成するベース部材およびカバー部材の斜視図である。
【発明を実施するための形態】
【０００７】
以下、添付の図面を参照して本発明に係るゴルフ用手袋を実施するための形態を順次説明する。なお、本発明のゴルフ用手袋は、一般に右利きのゴルファーには左手に装着され、左利きのゴルファーには右手に装着されるものであって、両者は左右対称に構成されるため、その一方について説明し、他方については説明を省略する。
＜第１実施形態＞
図１および図２に示す第１実施形態のゴルフ用手袋１は、一般に右利きのゴルファーの左手に装着されるものであって、天然皮革、人工皮革、合成皮革などの皮革素材に伸縮性のあるメッシュ素材を適宜組み合わせて縫製されている。このゴルフ用手袋１には、手甲部１Ａの小指寄りの側に切込み１Ｂが形成されており、切込み１Ｂの左縁部には、切込み１Ｂより右側の手甲部１Ａに重ねられる締込み用の止着片１Ｃが突設されている。
ここで、手甲部１Ａと止着片１Ｃとの間には、止着片１Ｃを締込み方向に位置調整可能に止着する止着装置１０が設けられている。すなわち、手甲部１Ａ側にはプレート部材１１が配設され、止着片１Ｃ側にはガイド部材１２およびダイヤル部材１３が配設されている。
プレート部材１１は、止着片１Ｃで覆われるプレート部１１Ａと、の表面に突設された係合突起１１Ｂとを有するものであり、適宜の合成樹脂により一体に形成されている。プレート部１１Ａの形状は、図示の例では、止着片１Ｃより一回り小さな舌片形に形成されているが、止着片１Ｃで覆われる限り、適宜の形状に変更することができる。
プレート部１１Ａは、手甲部１Ａに直に接着または縫着されていても良いが、手甲部１Ａに対する位置調整を可能とするため、本実施形態では、プレート部１１Ａと同形の一対の面ファスナ１４Ａ，１４Ｂを介して手甲部１Ａに着脱自在となっている。すなわち、図３に示すように、プレート部１１Ａの裏面にはループ地の面ファスナ１４Ａが接着され、手甲部１Ａの表面にはフック地の面ファスナ１４Ｂが接着または逢着されており、この一対の面ファスナ１４Ａ，１４Ｂを介してプレート部１１Ａが手甲部１Ａに着脱自在となっている。
一方、プレート部材１１の係合突起１１Ｂは、図３に示すように、小径のネック部１１Ｃを介してプレート部１１Ａに連続する大径のヘッド部１１Ｄを有する。ヘッド部１１Ｄの形状は、図示の例では、縦断面が若干横長の八角形を呈する立体形状に形成されているが、短円柱形または球形であってもよい。このヘッド部１１Ｄは、図２に示すガイド部材１２に形成されたガイド長孔１２Ａの始端部１２Ｂを貫通可能な位置に配置されている。
ガイド部材１２は、図４に示すように、キャップ状のダイヤル部材１３が組み付けられるツバ付きの逆向きキャップ状に形成されており、ダイヤル部材１３の嵌合筒部１３Ａが回動可能にインロウ嵌合される嵌合筒部１２Ｃと、その下端部から張り出す円形のツバ部１２Ｄとを有する。なお、ガイド部材１２およびダイヤル部材１３は、適宜の材質の合成樹脂製でもよいし、アルミニウム等の軽金属製でもよい。
ここで、ガイド部材１２の嵌合筒部１２Ｃの外周と、ダイヤル部材１３の嵌合筒部１３Ａの内周との間には、ダイヤル部材１３を嵌合方向に所定のクリック感を持って着脱自在に嵌合させる係合部が形成されている。例えば、図５に拡大して示すように、ガイド部材１２の嵌合筒部１２Ｃの外周には、断面が半円状のリング状凸部１２Ｅが形成され、ダイヤル部材１３の嵌合筒部１３Ａの内周には、断面がＶ字形のリング状Ｖ溝１３Ｂが形成されている。
また、図示省略するが、ガイド部材１２の嵌合筒部１２Ｃの外周と、ダイヤル部材１３の嵌合筒部１３Ａの内周との間には、複数の微小な凹凸係合部によりダイヤル部材１３を回動方向に位置決め可能とする適宜のクリック機構が形成されている。なお、ダイヤル部材１３の嵌合筒部１３Ａに径方向の弾力性を付与するため、その嵌合筒部１３Ａには複数のスリットを形成してもよいし、嵌合筒部１３Ａの基端部には適宜の薄肉部を形成してもよい。
ここで、図４および図６に示すように、ガイド部材１２は、止着片１Ｃに形成された円形穴１Ｄを嵌合筒部１２Ｃが貫通した状態でツバ部１２Ｄが円形穴１Ｄの周囲の部分に接着されている。そして、図６に示すように、ガイド部材１２の底部１２Ｆには、図３に示したプレート部材１１の係合突起１１Ｂが貫通するガイド長孔１２Ａが形成されている。
ガイド長孔１２Ａは、ガイド部材１２の底部１２Ｆ部の中心より下方に配置されて左右方向（ゴルフ用手袋１の幅方向）に延びている。このガイド長孔１２Ａは、右側の始端部１２Ｂの孔幅が係合突起１１Ｂのヘッド部１１Ｄを貫通させる孔幅とされ、それ以外の孔幅が係合突起１１Ｂのネック部１１Ｃを案内可能な孔幅とされている。
一方、図７および図８に示すように、ダイヤル部材１３の天頂部１３Ｃの内面には、ガイド長孔１２Ａを貫通した係合突起１１Ｂのヘッド部１１Ｄが摺動自在に係合する係合溝１３Ｄが形成されている。この係合溝１３Ｄは、例えば図７の（ａ）に示すように、天頂部１３Ｃの中心部から半径方向に直線状に延びる形状であってもよいし、図７の（ｂ）に示すように天頂部１３Ｃの中心部から半径方向に円弧状に延びる形状であってもよい。
以上のように構成された第１実施形態のゴルフ用手袋１は、例えば右利きのゴルファーの左手に装着される。その際、ゴルファーは、手甲部１Ａ側のプレート部材１１上に止着片１Ｃ側のガイド部材１２を重ね、プレート部材１１の係合突起１１Ｂをガイド部材１２のガイド長孔１２Ａの始端部１２Ｂから上方に突出させる。そして、図４に示すように、ガイド部材１２の嵌合筒部１２Ｃの外周にダイヤル部材１３の嵌合筒部１３Ａの内周を嵌合させつつダイヤル部材１３を回動させることにより、図８に示すように、ダイヤル部材１３の係合溝１３Ｄに係合突起１１Ｂのヘッド部１１Ｄを係合させる。
なお、このようなガイド部材１２の嵌合筒部１２Ｃに対するダイヤル部材１３の嵌合筒部１３Ａの嵌合状態は、両者の間のリング状凸部１２Ｅとリング状Ｖ溝１３Ｂとの係合により保持される。また、ガイド部材１２に対するダイヤル部材１３の回動方向の位置は、両者の間の複数の微小な凹凸係合部により保持される。こうして、ゴルフ用手袋１がゴルファーの左手に装着される。その際、従来のような面ファスナ特有の耳障りで不快なビリビリ音が発生しない。
このようなゴルフ用手袋１の装着状態において、ゴルフ用手袋１が左手にピッタリとフィットするように止着片１Ｃを締込み直す際、ゴルファーは、図８に示す右回りの矢印方向にダイヤル部材１３をさらに回動させる。すると、ダイヤル部材１３の係合溝１３Ｄがプレート部材１１の係合突起１１Ｂのヘッド部１１Ｄをガイド部材１２のガイド長孔１２Ａに沿って左向きの矢印方向に引き寄せる。これにより、止着片１Ｃ側のガイド部材１２が相対的に止着片１Ｃの締込み方向に移動して止着片１Ｃが締込み直される。その際、従来のような面ファスナ特有の耳障りで不快なビリビリ音が発生しない。
すなわち、第１実施形態のゴルフ用手袋１によれば、プレート部材１１、ガイド部材１２およびダイヤル部材１３で構成される止着装置１０により止着片１Ｃを手甲部１Ａに止着することでゴルフ用手袋１を左手に装着することができる。また、止着装置１０により止着片１Ｃを締込み方向に位置調整することで、左手に装着したゴルフ用手袋１が左手にピッタリとフィットするように止着片１Ｃを締込み直すことができる。その際、従来のような面ファスナ特有の耳障りで不快なビリビリ音が発生しないため、ティーインググラウンドやグリーン上のプレーヤの近くでも耳障りとなることなくゴルフ用手袋１を装着し、あるいその止着片１Ｃを締込み直すことができる。
＜第１実施形態の変形例＞
前述した第１実施形態の変形例として、図７に示したダイヤル部材１３の係合溝１３Ｄは、図９に示すような係合アーム１３Ｅに変更することができる。この係合アーム１３Ｅは、例えば図９の（ａ）に示すように、ダイヤル部材１３の天頂部１３Ｃの中心部寄りの位置から外周側へ湾曲して延びる形状であるが、図９の（ｂ）に示すように直線状に延びる形状であってもよい。
この変形例においては、図１０に示す右回りの矢印方向にダイヤル部材１３を回動させると、ダイヤル部材１３の係合アーム１３Ｅがプレート部材１１の係合突起１１Ｂのヘッド部１１Ｄをガイド部材１２のガイド長孔１２Ａに沿って左向きの矢印方向に引き寄せる。
これにより、止着片１Ｃ側のガイド部材１２が相対的に止着片１Ｃの締込み方向に移動してゴルフ用手袋１がゴルファーの左手に装着される。また、ダイヤル部材１３を図１０の矢印方向にさらに回動させると、装着されたゴルフ用手袋１がゴルファーの左手にピッタリとフィットするように止着片１Ｃが締込み直される。その際、従来のような面ファスナ特有の耳障りで不快なビリビリ音が発生しない。従って、この変形例においても、第１実施形態と同様の作用効果を得ることができる。
なお、このような第１実施形態の変形例において、図１０に示したガイド部材１２は、プレート部材１１の係合突起１１Ｂが貫通する大きな開口（図示省略）をガイド長孔１２Ａに代えて形成したリング状に構成してもよい。
この場合においても、図１０に示す右回りの矢印方向にダイヤル部材１３を回動させると、ダイヤル部材１３の係合アーム１３Ｅが係合突起１１Ｂのヘッド部１１Ｄを左向きに引き寄せるため、止着片１Ｃ側のガイド部材１２が相対的に止着片１Ｃの締込み方向に移動してゴルフ用手袋１がゴルファーの左手に装着される。また、ダイヤル部材１３を図１０の矢印方向にさらに回動させると、装着されたゴルフ用手袋１がゴルファーの左手にピッタリとフィットするように止着片１Ｃが締込み直される。その際、従来のような面ファスナ特有の耳障りで不快なビリビリ音が発生しないため、第１実施形態と同様の作用効果を得ることができる。
＜第２実施形態＞
第２実施形態のゴルフ用手袋１は、前述した第１実施形態のゴルフ用手袋１における止着装置１０、すなわち、図８に示したプレート部材１１、ガイド部材１２およびダイヤル部材１３で構成された止着装置１０を図１１に示すベース部材２１およびカバー部材２２で構成された止着装置２０に変更したものであり、その他は第１実施形態のゴルフ用手袋１と同様に構成されている。
ベース部材２１は、手甲部１Ａ側に配設される部材であり、弾性素材である硬質ゴムあるいは軟質の合成樹脂により、手甲部１Ａの左右方向に延びる横長の概略長方形の板状に形成されている。このベース部材２１は、手甲部１Ａに直に接着または縫着されている。
カバー部材２２は、止着片１Ｃ側に配設される部材であり、弾性素材である硬質ゴムあるいは軟質の合成樹脂により、ベース部材２１に重なる概略長方形の板状に形成されている。このカバー部材２２は、これと略同形に形成された止着片１Ｃの裏面に接着または縫着されているが、カバー部材２２自体が止着片を構成していてもよい。
ここで、ベース部材２１の左半分の上面（ゴルフ用手袋１を装着したときカバー部材２２と対峙する側の表面）には、上下２列に配列されて左右方向に帯状に延びるラチェット部２１Ａ，２１Ａが設けられており、各ラチェット部２１Ａには、例えば５山のラチェット歯２１Ｂが所定ピッチで形成されている。そして、ベース部材２１の右側部分には、それぞれ左右方向に所定ピッチで配列された例えば３個の係止孔２１Ｃが上下２列に配列されて形成されている。
一方、カバー部材２２の左半分の下面（ゴルフ用手袋１を装着したときベース部材２１と対峙する側の表面）には、ベース部材２１のラチェット部２１Ａ，２１Ａに対応したラチェット部２２Ａ，２２Ａが設けられており、各ラチェット部２２Ａには、その左側部分に所定ピッチで配列された例えば２山のラチェット歯２２Ｂと、その右側部分に配置された１山のラチェット歯２２Ｃとが形成されている。そして、カバー部材２２の右側部分の下面には、ベース部材２１に上下２列に配列された各３個の係止孔２１Ｃに対応する上下一対の係合突起２２Ｄ，２２Ｄが形成されている。
ここで、図１２に示すように、カバー部材２２の係合突起２２Ｄは、小径のネック部２２Ｅの下端に大径のヘッド部２２Ｆが連続した形状を有する。これに対応して、ベース部材２１の係止孔２１Ｃは、係合突起２２Ｄのヘッド部２２Ｆを嵌め込んで抜け止めするように、上部が小径の段付き孔となっている。
また、図１３に示すように、カバー部材２２の下面におけるラチェット部２２Ａ，２２Ａの間には、ベース部材２１の上面におけるラチェット部２１Ａ，２１Ａの間の溝部２１Ｄに嵌まるスライド用の帯状突部２２Ｇが形成されている。
ここで、ベース部材２１のラチェット部２１Ａ，２１Ａの各ラチェット歯２１Ｂと、カバー部材２２のラチェット部２２Ａ，２２Ａのラチェット歯２２Ｂ，２２Ｃとの係合斜面の向きは、カバー部材２２がベース部材２１に対し止着片１Ｃの締込み方向にスライドして位置調整できるように設定されている。
第２実施形態のゴルフ用手袋１では、ゴルフ用手袋１を装着する際、止着片１Ｃ側のカバー部材２２を手甲部１Ａ側のベース部材２１に重ねてカバー部材２２の帯状突部２２Ｇをベース部材２１の溝部２１Ｄに嵌め込む。そして、カバー部材２２を止着片１Ｃの締込み方向に締め込んでカバー部材２２の上下一対の係合突起２２Ｄ，２２Ｄをベース部材２１の上下に２列に配列された各３個の係止孔２１Ｃの何れかに嵌め込む。
また、ゴルフ用手袋１の止着片１Ｃを締め込み直す際には、カバー部材２２を止着片１Ｃの締込み方向にさらに締め込んでカバー部材２２の係合突起２２Ｄ，２２Ｄをベース部材２１の対応する他の係止孔２１Ｃに嵌め込む。これにより、ベース部材２１のラチェット部２１Ａ，２１Ａの各ラチェット歯２１Ｂと、カバー部材２２のラチェット部２２Ａ，２２Ａのラチェット歯２２Ｂ，２２Ｃとで構成されるラチェット機構を介してカバー部材２２が止着片１Ｃの締込み方向に位置調整され、こうしてゴルフ用手袋１が手にピッタリとフィットするように止着片１Ｃが締込み直される。
その際、ベース部材２１およびカバー部材２２は、弾性素材である硬質ゴムあるいは軟質の合成樹脂で構成されているため、従来のような面ファスナ特有の耳障りで不快なビリビリ音が発生せず、耳障りで不快な音は殆ど発生しない。従って、第２実施形態においても、第１実施形態と同様の作用効果を得ることができる。
＜第３実施形態＞
第３実施形態のゴルフ用手袋１は、第２実施形態のゴルフ用手袋１における止着装置２０、すなわち、図１１に示したベース部材２１およびカバー部材２２で構成された止着装置２０を図１４に示すベース部材３１およびスライド部材３２で構成された止着装置３０に変更したものであり、その他は第２実施形態のゴルフ用手袋１と同様に構成されている。
ベース部材３１は、手甲部１Ａ側に配設される部材であり、硬質ゴムあるいは適宜の合成樹脂により、手甲部１Ａの左右方向に延びる横長の概略長方形の板状に形成されている。このベース部材３１は、手甲部１Ａに直に接着または縫着されている。
スライド部材３２は、止着片１Ｃ側に配設される部材であり、硬質ゴムあるいは適宜の合成樹脂により、ベース部材３１に重なる概略長方形の板状に形成されている。このスライド部材３２は、これと略同形に形成された止着片１Ｃの裏面に接着または縫着されているが、スライド部材３２自体が止着片を構成していてもよい。
ベース部材３１の上面（ゴルフ用手袋１を装着したときスライド部材３２と対峙する側の表面）には、上下方向の中央部に配置されて左右方向に延びる幅広の台形断面のガイドレール３１Ａが形成されている。これに対応して、スライド部材３２の下面（ゴルフ用手袋１を装着したときベース部材３１と対峙する側の表面）には、ベース部材３１のガイドレール３１Ａに摺動自在に嵌まり込む幅広の台形断面のガイド溝３２Ａが形成されている。
ここで、ベース部材３１のガイドレール３１Ａには、その長手方向に沿って複数のマグネット３１Ｂが所定ピッチで配列されている。これに対応して、スライド部材３２のガイド溝３２Ａには、その長手方向に沿って複数のマグネット３２Ｂが所定ピッチで配列されている。
ガイドレール３１Ａ側の各マグネット３１Ｂは、上下方向に極性を揃えた状態でガイドレール３１Ａの上面の直下に埋設されている。一方、ガイド溝３２Ａ側の各マグネット３２Ｂは、ガイドレール３１Ａ側の各マグネット３１Ｂに吸着されるように、上下方向に極性を揃えた状態でガイド溝３２Ａの底面の直下に埋設されている。
第３実施形態のゴルフ用手袋１では、ゴルフ用手袋１を装着する際、止着片１Ｃ側のスライド部材３２を手甲部１Ａ側のベース部材３１に重ねてスライド部材３２のガイド溝３２Ａをベース部材３１のガイドレール３１Ａに嵌め込む。これにより、ガイド溝３２Ａに所定ピッチで埋設された各マグネット３２Ｂがガイドレール３１Ａに所定ピッチで埋設された各マグネット３１Ｂに吸着されることで、ゴルフ用手袋１が装着される。
また、ゴルフ用手袋１の止着片１Ｃを締め込み直す際には、スライド部材３２をベース部材３１に対して止着片１Ｃの締込み方向にスライドさせる。これにより、スライド部材３２がベース部材３１に対して止着片１Ｃの締込み方向に位置調整され、こうしてゴルフ用手袋１が手にピッタリとフィットするように止着片１Ｃが締込み直される。
その際、従来のような面ファスナ特有の耳障りで不快なビリビリ音が発生せず、耳障りで不快な音は殆ど発生しない。従って、第３実施形態においても、第２実施形態と同様の作用効果を得ることができる。
なお、第３実施形態のゴルフ用手袋１において、一群のマグネット３１Ｂまたは一群のマグネット３２Ｂの何れか一方は、単一または複数の電磁石に変更し、他方はこの電磁石に吸着される吸着片に変更してもよいし、マグネット（や電磁石）３１Ｂ，３２Ｂに代えて図１１に示すようなラチェットとしてもよい。
＜第４実施形態＞
第４実施形態のゴルフ用手袋１は、前述した第２実施形態のゴルフ用手袋１における止着装置２０、すなわち、図１１に示したベース部材２１およびカバー部材２２で構成された止着装置２０を図１５に示すベース部材４１およびカバー部材４２で構成された止着装置４０に変更したものであり、その他は第２実施形態のゴルフ用手袋１と同様に構成されている。
ベース部材４１は、図１１に示したベース部材２１に対応したものであり、ベース部材２１のラチェット部２１Ａ、ラチェット歯２１Ｂ、溝部２１Ｄにそれぞれ対応したラチェット部４１Ａ、ラチェット歯４１Ｂ、溝部４１Ｄを備えている。そして、このベース部材４１の先端側（図１に示したゴルフ用手袋１の切込み１Ｂから遠い側）の上面には、溝部４１Ｄの先端部に連続して延びる一対の係止溝４１Ｅ，４１Ｅが形成されている。
カバー部材４２は、図１１に示したカバー部材２２に対応したものであり、カバー部材２２のラチェット部２２Ａ、ラチェット歯２２Ｂ、帯状突部２２Ｇにそれぞれ対応したラチェット部４２Ａ、ラチェット歯４２Ｂ、帯状突部４２Ｇを備えている。そして、このカバー部材４２の先端側の下面には、帯状突部４２Ｇの先端部に連続して延びる一対の帯状係合突部４２Ｈ，４２Ｈが形成されている。
ここで、ベース部材４１の溝部４１Ｄの断面形状は、底部の幅より開口部の幅が広い逆台形の断面形状となっており、ベース部材４１の係止溝４１Ｅ，４１Ｅの断面形状は、底部の幅より開口部の幅が狭い台形の断面形状となっている。これに対応して、カバー部材４２の帯状突部４２Ｇの断面形状は、ベース部材４１の溝部４１Ｄに円滑に嵌る逆台形の断面形状となっており、カバー部材４２の帯状係合突部４２Ｈ，４２Ｈの断面形状は、ベース部材４１の係止溝４１Ｅ，４１Ｅに弾性変形しつつアリ嵌合する台形の断面形状となっている。
第４実施形態のゴルフ用手袋１では、ゴルフ用手袋１を装着する際、止着片１Ｃ側のカバー部材４２を手甲部１Ａ側のベース部材４１に重ねてカバー部材４２の帯状突部４２Ｇをベース部材４１の溝部４１Ｄに嵌め込む。そして、カバー部材４２を止着片１Ｃの締込み方向に締め込んでカバー部材４２の一対の帯状係合突部４２Ｈ，４２Ｈを弾性変形させつつベース部材４１の係止溝４１Ｅ，４１Ｅにアリ嵌合させる。
また、ゴルフ用手袋１の止着片１Ｃを締め込み直す際には、カバー部材４２を止着片１Ｃの締込み方向にさらに締め込む。これにより、ベース部材４１のラチェット部４１Ａ，４１Ａと、カバー部材４２のラチェット部４２Ａ，４２Ａとで構成されるラチェット機構を介してカバー部材４２が止着片１Ｃの締込み方向に位置調整され、こうしてゴルフ用手袋１が手にピッタリとフィットするように止着片１が締込み直される。
その際、ベース部材４１およびカバー部材４２は、弾性素材である硬質ゴムあるいは軟質の合成樹脂で構成されているため、従来のような面ファスナ特有の耳障りで不快なビリビリ音が発生せず、耳障りで不快な音は殆ど発生しない。従って、第４実施形態においても、第１実施形態と同様の作用効果を得ることができる。
＜第５実施形態＞
第５実施形態のゴルフ用手袋１は、第４実施形態のゴルフ用手袋１における止着装置４０、すなわち、図１５に示したベース部材４１およびカバー部材４２で構成された止着装置４０を図１６に示すベース部材５１およびカバー部材５２で構成された止着装置５０に変更したものであり、その他は第４実施形態のゴルフ用手袋１と同様に構成されている。
ベース部材５１は、図１５に示したベース部材４１に対応したものであり、ベース部材４１のラチェット部４１Ａ、ラチェット歯４１Ｂ、溝部４１Ｄにそれぞれ対応したラチェット部５１Ａ、ラチェット歯５１Ｂ、溝部５１Ｄを備えている。この溝部５１Ｄは、ベース部材５１のラチェット部５１Ａが形成されている基端部側から先端部側に亘って形成されている。
カバー部材５２は、図１５に示したカバー部材４２に対応したものであり、カバー部材４２のラチェット部４２Ａ、ラチェット歯４２Ｂ、帯状突部４２Ｇにそれぞれ対応したラチェット部５２Ａ、ラチェット歯５２Ｂ、帯状突部５２Ｇを備えている。この帯状突部５２Ｇは、カバー部材５２のラチェット部５２Ａが形成されている基端部側から先端部側に亘って形成されている。
ここで、図１７の（ａ）に示すように、ベース部材５１の基端部側における溝部５１Ｄの断面形状は、底部の幅より開口部の幅が広い逆台形の断面形状となっており、カバー部材５２の基端部側における帯状突部５２Ｇの断面形状は、ベース部材５１の基端部側の溝部５１Ｄに円滑に嵌る逆台形の断面形状となっている。
一方、図１７の（ｂ）に示すように、ベース部材５１の先端部側における溝部５１Ｄの断面形状は、底部の幅より開口部の幅が狭い台形の断面形状となっており、カバー部材５２の先端部側における帯状突部５２Ｇの断面形状は、ベース部材５１の先端部側の溝部５１Ｄに弾性変形しつつアリ嵌合する台形の断面形状となっている。
なお、図示省略したが、ベース部材５１の溝部５１Ｄの断面形状は、ベース部材５１の基端部側の断面形状から先端部側の断面形状へと順次滑らかに変化しており、カバー部材５２の帯状突部５２Ｇの断面形状もカバー部材５２の基端部側の断面形状から先端部側の断面形状へと順次滑らかに変化している。
第５実施形態のゴルフ用手袋１では、ゴルフ用手袋１を装着する際、止着片１Ｃ側のカバー部材５２を手甲部１Ａ側のベース部材５１に重ねてカバー部材５２の帯状突部５２Ｇをベース部材５１の溝部５１Ｄに嵌め込む。その際、カバー部材５２の先端部側の帯状突部５２Ｇを弾性変形させつつベース部材５１の先端部側の溝部５１Ｄにアリ嵌合させる。
また、ゴルフ用手袋１の止着片１Ｃを締め込み直す際には、カバー部材５２を止着片１Ｃの締込み方向にさらに締め込む。これにより、ベース部材５１のラチェット部５１Ａ，５１Ａと、カバー部材５２のラチェット部５２Ａ，５２Ａとで構成されるラチェット機構を介してカバー部材５２が止着片１Ｃの締込み方向に位置調整され、こうしてゴルフ用手袋１が手にピッタリとフィットするように止着片１が締込み直される。
その際、ベース部材５１およびカバー部材５２は、弾性素材である硬質ゴムあるいは軟質の合成樹脂で構成されているため、従来のような面ファスナ特有の耳障りで不快なビリビリ音が発生せず、耳障りで不快な音は殆ど発生しない。従って、第５実施形態においても、第１実施形態と同様の作用効果を得ることができる。
＜第６実施形態＞
第６実施形態のゴルフ用手袋１は、第２実施形態のゴルフ用手袋１における止着装置２０、すなわち、図１１に示したベース部材２１およびカバー部材２２で構成された止着装置２０を、図１８に示すベース部材６１およびカバー部材６２で構成された止着装置６０に変更したものである。この止着装置６０は、ベース部材４１またはカバー部材６２のいずれか一方の少なくとも一部（ゴルフ用手袋１を装着したとき、それぞれが互いに対峙する側の面の少なくとも一部）が自己粘着性および再剥離性のある合成樹脂（以下、単に自己粘着性の樹脂という）からなる素材により構成されている。
ベース部材６１またはカバー部材６２の少なくとも一部に用いられる自己粘着性の樹脂としては、粘着性を有するアクリル酸エステル共重合体、メチルメタクリレート−ブタジエン共重合体、シリコン系樹脂、ポリオレフィン系樹脂、ポリウレタン系の熱可塑性エラストマー、ポリスチレン系の熱可塑性エラストマー等の、粘着性はほとんどなく、被貼着体と接すると空気を押し退けながら密着する性質（すなわち、自己粘着性）と、貼着面の一端を持ち上げることで剥離が容易に広がり全体を取り外せ得る性質（すなわち、再剥離性）とを併せて備えた合成樹脂が用いられる。
これらの自己粘着性の樹脂の中でも、貼着、再剥離が容易で接着力の経時的な低下がより少ない点で、粘着性を有するアクリル酸エステル共重合体、メチルメタクリレート−ブタジエン共重合体、ポリオレフィン樹脂系の熱可塑性エラストマー、ポリウレタン系の熱可塑性エラストマーおよびポリスチレン系の熱可塑性エラストマーがより好ましい。
ここで、図１８に示したベース部材６１は、手甲部１Ａ側に配設される部材であり、塩化ビニル系樹脂等でできた表面に凹凸がなく滑らかな素材からなり、手甲部１Ａの左右方向に延びる横長の概略長方形の板状に形成されている。このベース部材６１は、手甲部１Ａに直に接着または縫着されている。
一方、カバー部材６２は、止着片１Ｃ側に配置される部材であり、その表面がある程度密着性のあるアクリル樹脂等からなる合成樹脂により、ベース部材６１に重なる概略長方形の板状に形成されている。カバー部材６２は、これとほぼ同形に形成された止着片１Ｃの裏面に直に接着または縫着されているが、カバー部材６２自体が止着片を構成していてもよい。カバー部材６２は、さらにその下面（ゴルフ用手袋１を装着したときベース部材４１と対峙する側の表面）に、自己粘着性の樹脂からなる素材で構成され、カバー部材６２とほぼ同じ幅を有する係止片６３が、手甲部１Ａの中央近辺から右方先端方向にかけて接着等による固定手段により配設される。
なお、第６実施形態のゴルフ用手袋１は、前記カバー部材６２の下面（ゴルフ用手袋１を装着したときベース部材４１と対峙する側の表面）の一部に図１８に例示するような自己粘着性の樹脂からなる係止片６３を設けるのではなく、塩化ビニル樹脂等からなるカバー部材６２の基体の表面全体に自己粘着性の合成樹脂からなる層を積層するか、自己粘着性の合成樹脂からなる成形体をカバー部材６２としてもよい。
また、第６実施形態のゴルフ用手袋１としては、前記のように自己粘着性の合成樹脂からなる素材をカバー部材６２の表面の少なくとも一部に用いるのではなく、ベース部材６１の上面（ゴルフ用手袋１を装着したときカバー部材６２と対峙する側の表面）の少なくとも一部に自己粘着性の樹脂からなる係止片６３を配設したり、塩化ビニル樹脂等からなる基体上に自己粘着性の樹脂を積層するとか、またはベース部材６１そのものを自己粘着性の樹脂で形成することもできる。その場合には、カバー部材６２の方は、自己粘着性の合成樹脂からなる素材のもの（カバー部材６２と同じ素材のもの）は用いないで、塩化ビニル樹脂等からなる表面に凹凸がなくて滑らかな素材のものを用いると、ベース部材６１とカバー部材６２との接着性がより良好となる。
第６実施形態のゴルフ用手袋１としては、例えば、図１４に例示の第３実施形態のゴルフ用手袋１の止着装置３０において、ガイドレール３１Ａまたはガイド溝３２の表面の少なくとも一部を自己粘着性の樹脂からなる素材のもので形成する以外は第３実施形態のゴルフ用手袋１と同様の構成とすることができ、その場合、ガイドレール３１Ａまたはガイド溝３２への一群のマグネット３１Ｂまたはマグネット３２Ｂの設置は省略してもよい。
前記の構成からなる本発明の第６実施形態のゴルフ用手袋１では、ゴルフ用手袋１を装着する際、止着片１Ｃ側のカバー部材６２を手甲部１Ａ側のベース部材６１に重ねてカバー部材６２側から押圧することにより、ベース部材６１上にカバー部材６２が固定されることでゴルフ用手袋１が装着される。
また、ゴルフ用手袋１の止着片１Ｃを締め込み直す際には、カバー部材６２を掴んでベース部材６１から一旦剥離するとともに、カバー部材６２をベース部材６１に対して止着片１Ｃの締込み方向に引きよせる。これにより、カバー部材６２がベース部材６１に対して止着片１Ｃの締込み方向に位置調整され、こうしてゴルフ用手袋１が手にピッタリとフィットするように止着片１Ｃが締込み直される。
止着片１Ｃを締め込み直す際、ベース部材６１またはカバー部材６２の接触面（貼着面）が自己粘着性の樹脂からなる素材で形成されているため、貼着面でのベース部材６１とカバー部材６２との貼着や再剥離が容易で、従来のような面ファスナの脱着時に特有の耳障りで不快なビリビリ音が殆ど発生しない。従って、本発明の第６実施形態に係るゴルフ用手袋１においても、第２、３実施形態と同様の作用効果を得ることができる。
【図１】
2010128689.tif 000003
【図２】
2010128689.tif 000004
【図３】
2010128689.tif 000005
【図４】
2010128689.tif 000006
【図５】
2010128689.tif 000007
【図６】
2010128689.tif 000008
【図７】
2010128689.tif 000009
【図８】
2010128689.tif 000010
【図９】
2010128689.tif 000011
【図１０】
2010128689.tif 000012
【図１１】
2010128689.tif 000013
【図１２】
2010128689.tif 000014
【図１３】
2010128689.tif 000015
【図１４】
2010128689.tif 000016
【図１５】
2010128689.tif 000017
【図１６】
2010128689.tif 000018
【図１７】
2010128689.tif 000019
【図１８】
2010128689.tif 000020
【国際調査報告】
2010128689.tif 000021
2010128689.tif 000022